(57)【特許請求の範囲】
【請求項１】
被清掃面から塵埃を吸引するための清掃面摺動部と、
吸い込んだ塵埃を貯留する塵埃貯留部と、
塵埃を吸引する気流を発生させる電動送風機を内蔵した掃除機本体と、
前記電動送風機の動作を制御する制御部と、
前記掃除機本体内部の温度を検出し、その検出結果を前記制御部に出力する温度検出手段と、
前記電動送風機の一時停止状態を解除する一時停止解除手段とを備え、
前記制御部には、前記掃除機本体の許容限界温度より低い温度である第一設定温度と、前記第一設定温度より高く前記許容限界温度より低い温度である第二設定温度が設定されており、
前記制御部は、前記温度検出手段の検出結果が第一設定温度以上第二設定温度未満のとき、前記電動送風機の動作を一時停止させ、前記一時停止中に前記一時停止解除手段からの入力を検知したとき、前記電動送風機を再び動作させ、この再動作の後に、前記温度検出手段の検出結果が第二の設定温度以上となったとき、前記電動送風機の動作を停止させることを特徴とする電気掃除機。
【請求項２】
前記電動送風機の動作を操作するための操作スイッチが備えられ、
前記操作スイッチが前記一時停止解除手段の機能を兼ね備えていることを特徴とする請求項１に記載の電気掃除機。
【請求項３】
前記温度検出手段の検出結果が前記第一設定温度以上または前記第二設定温度以上となったときに、それぞれ異なるパターンによって点滅する表示ランプを備えたことを特徴とする請求項１又は２に記載の電気掃除機。
【請求項４】
前記電動送風機が発生させる気流の圧力を検出するための圧力検出手段と、
前記圧力検出手段の検出結果に基づき電気掃除機内部で不具合が生じている部位を判別し、その判別結果を表示する表示手段とを備え、
前記温度検出手段の検出結果が前記第一設定温度以上となり前記電動送風機の動作が一時停止した際、及び、前記温度検出手段の検出結果が前記第二設定温度以上となり前記電動送風機の動作が停止した際に、前記表示手段により前記判別結果を表示することを特徴とする請求項１乃至３のいずれかに記載の電気掃除機。
【請求項５】
前記電動送風機が発生させる気流の圧力を検出するための圧力検出手段と、
前記圧力検出手段の検出結果に基づき電気掃除機内部で不具合が生じている部位を判別し、その判別結果を表示する表示手段とを備え、
前記温度検出手段の検出結果が前記第一設定温度以上となり前記電動送風機の動作が一時停止した際、または、前記温度検出手段の検出結果が前記第二設定温度以上となり前記電動送風機の動作が停止した際に、前記表示手段により前記判別結果を表示することを特徴とする請求項１乃至３のいずれかに記載の電気掃除機。
【請求項６】
前記圧力検出手段が、前記清掃面摺動部から前記電動送風機に至る風路中の複数箇所に配置されていることを特徴とする請求項４乃至５のいずれかに記載の電気掃除機。
【請求項７】
前記表示手段は前記電機掃除機の全体概略図により不具合が生じている部位を表示することを特徴とする請求項４乃至６のいずれかに記載の電気掃除機。
【請求項８】
前記一時停止解除手段が、電気掃除機に電力が供給されている状態で前記制御部の制御状態をリセットして前記電動送風機を駆動する制御部リセットスイッチにより構成されていることを特徴とする請求項１乃至５のいずれかに記載の電気掃除機。
【発明の詳細な説明】
【０００１】
【発明の属する技術分野】
本発明は電気掃除機、特に電動送風機の異常運転を防止し得る電気掃除機の改良に関する。
【０００２】
【従来の技術】
電気掃除機は、電動送風機を駆動して被清掃面の塵埃を吸引する気流を発生させ、内部に有する塵埃貯留部に塵埃を集めることで清掃を行い得る装置であり、広く一般的に普及している。
【０００３】
このような電気掃除機に使用される電動送風機は駆動させると発熱する。また、このような電動送風機を内蔵する電気掃除機の本体部分は樹脂等で形成されたケースが用いられるのが一般的である。このため、電動送風機の作動状況によっては、電動送風機の発熱量が増大し、電動送風機が配置される樹脂などのケース内に形成されたモータ室の温度が規定温度以上に上昇し、本体ケース内部が高温にさらされ変形する等の問題が発生することがあった。
【０００４】
このため、従来では本体ケースの変形を防止するための保護装置として、サーモスタットを用いたものが存在した。この装置は、電動送風機の発熱がある一定の温度に達すると電動送風機への電流の流入を遮断して電気掃除機の使用を中止し、保護する機構であった。
【０００５】
また回路内部に電流ヒューズや温度ヒューズを設けることもあった。この場合、電流ヒューズでは電動送風機の発熱により回路がショートすることで回路に過電流が流れて電流ヒューズが切れて電動送風機への電流の流入を防止するものであり、温度ヒューズでは電動送風機の発熱により規定の温度に達すると温度ヒューズが切れて電動送風機への電流の流入を防止するものであった。
【０００６】
【発明が解決しようとする課題】
しかしながら、前述のような保護機構であると、電動送風機の発熱がある一定の温度に達すると、電動送風機に流入する電流を遮断してしまうことから、電気掃除機の使用を中止せざるを得なくなる。つまり、サーモスタットを使用している構成では、サーモスタットが冷却されて再び使用可能状態になるまで待たなければならなかった。また電流ヒューズや温度ヒューズを用いた構成では、電流ヒューズや温度ヒューズの交換作業が必要になる上、交換作業が完了するまで使用することができなくなるなど、手間のかかるものであった。
【０００７】
これに対して、サーミスタなどの温度検出素子の出力をマイコンに入力させ、規定温度以上になったときにはマイコンにより電動送風機の動作を停止する構成のものも存在した。しかし、このような構成であると規定温度以上になってしまった際に、再び使用するにはマイコンをリセットするためにコンセントを一度はずすなどの作業が必要とされ、やはり連続して使用することができないものであった。
【０００８】
また特開平４−１９７２２９号公報には電動送風機を制御する制御部と掃除機本体内の固有温度を検出する温度検出部とを備え、あらかじめ掃除機本体の許容限界温度より低く設定された設定温度を設定し、温度検出部で検出された検出温度が設定温度以上となったことを検出すると、電動送風機に供給する電力を低下させるとともに一定周期ごとに前記温度検出部による検出温度を読み取り設定温度以下となるまで順次前記電動送風機に供給する電力を一定量ずつ低下させ、前記設定温度を超えた状態で所定の条件を満たしたときに電動送風機を停止させる電気掃除機が開示されている。
【０００９】
このような構成であると、例えば掃除中に異物を吸い込み、風路が塞がれてしまったような場合、電動送風機に余分な負荷がかかり電動送風機の温度が上昇するため、電動送風機に供給される電力を低下させるものの、電動送風機は駆動され続ける。したがって異物が引っ掛かっていても電動送風機には電力が供給され続け、塵埃を吸い込む気流を発生させ続けるため、異物の除去が困難となるものであった。
【００１０】
また塵埃貯留部に多くの塵埃が貯留され、電動送風機に負荷をかけている場合などでも、電動送風機の温度が上昇すると電動送風機に供給される電力を低下させていってしまう。このため、塵埃貯留部の塵埃のために電動送風機で発生される気流が弱まってしまうのに加え、電動送風機に供給される電力も低下させられてしまうため、実質的に清掃が困難になってしまうなどの問題があった。
【００１１】
さらに電動送風機の温度が設定温度以上になり電動送風機が停止した場合には、前記マイコンによる制御と同様に再び使用するためには制御部をリセットするためにコンセントを一度はずすなどの作業が必要とされ、従来同様に、やはり連続して使用することができないものであった。
【００１２】
また、使用者は電動送風機の温度が上昇してしまっている場合でも、何が原因で電動送風機の温度が上昇してしまっているのかを特定することが困難なこともあり、温度上昇の原因を取り除くことができないような場合は掃除機の連続使用が困難になってしまうという問題があった。
【００１３】
本発明は前記課題に鑑みなされたものであり、その目的は、電動送風機の異常運転を防止しつつ、清掃を継続できる使い勝手のよい電気掃除機を提供することである。
【００１４】
【課題を解決するための手段】
前記目的を達成するために、本発明にかかる電気掃除機は、被清掃面から塵埃を吸引するための清掃面摺動部と、吸い込んだ塵埃を貯留する塵埃貯留部と、塵埃を吸引する気流を発生させる電動送風機を内蔵した掃除機本体と、前記電動送風機の動作を制御する制御部と、前記掃除機本体内部の温度を検出し、その検出結果を前記制御部に出力する温度検出手段と、前記電動送風機の一時停止状態を解除する一時停止解除手段とを備え、前記制御部には、前記掃除機本体の許容限界温度より低い温度である第一設定温度と、前記第一設定温度より高く前記許容限界温度より低い温度である第二設定温度が設定されており、前記制御部は、前記温度検出手段の検出結果が第一設定温度以上第二設定温度未満のとき、前記電動送風機の動作を一時停止させ、前記一時停止中に前記一時停止解除手段からの入力を検知したとき、前記電動送風機を再び動作させ、この再動作の後に、前記温度検出手段の検出結果が第二の設定温度以上となったとき、前記電動送風機の動作を停止させることを特徴とする。
【００１５】
また、本発明における電気掃除機は、前記電気掃除機には前記電動送風機の動作を操作するための操作スイッチが備えられ、前記操作スイッチが前記一時停止解除手段の機能を兼ね備えているものである。
【００１６】
また、本発明における電気掃除機は、前記温度検出手段の検出結果が前記第一設定温度以上または前記第二設定温度以上となったときに、それぞれ異なるパターンによって点滅する表示ランプを備えたものである。
【００１７】
また、本発明における電気掃除機は、前記電動送風機が発生させる気流の圧力を検出するための圧力検出手段と、前記圧力検出手段の検出結果に基づき電気掃除機内部で不具合が生じている部位を判別し、その判別結果を表示する表示手段とを備え、前記温度検出手段の検出結果が前記第一設定温度以上となり前記電動送風機の動作が一時停止した際、及び、前記温度検出手段の検出結果が前記第二設定温度以上となり前記電動送風機の動作が停止した際に、前記表示手段により前記判別結果を表示するものである。
【００１８】
また、本発明における電気掃除機は、前記電動送風機が発生させる気流の圧力を検出するための圧力検出手段と、前記圧力検出手段の検出結果に基づき電気掃除機内部で不具合が生じている部位を判別し、その判別結果を表示する表示手段とを備え、前記温度検出手段の検出結果が前記第一設定温度以上となり前記電動送風機の動作が一時停止した際、または、前記温度検出手段の検出結果が前記第二設定温度以上となり前記電動送風機の動作が停止した際に、前記表示手段により前記判別結果を表示するものである。
【００２０】
また本発明における電気掃除機は、前記圧力検出手段が、前記清掃面摺動部から前記電動送風機に至る風路中の複数箇所に配置されているものである。
【００２１】
また、本発明における電気掃除機は、前記表示手段は前記電機掃除機の全体概略図により不具合が生じている部位を表示するものである。
【００２２】
また、本発明における電気掃除機は、前記一時停止解除手段が、電気掃除機に電力が供給されている状態で前記制御部の制御状態をリセットして前記電動送風機を駆動する制御部リセットスイッチにより構成されているものである。
【００２４】
【発明の実施の形態】
以下、本発明の一実施形態を用いて、本発明の電気掃除機をさらに詳しく説明する。
【００２５】
実施の形態１．
図１は本発明の一実施形態における電気掃除機の全体構成概要図である。図１に示す本発明の一実施形態である電気掃除機１において、２は被清掃面から塵埃を吸引するための清掃面摺動部である床ブラシであり、床ブラシ２はパイプ３、ハンドル部４、ホース５を介して電気掃除機本体６に接続部７が差し込まれて接続されている。８は吸い込んだ塵埃を貯留する塵埃貯留部である集塵室、９は塵埃を吸引する気流を発生させる電動送風機であり、本実施形態ではこれら集塵室８、電動送風機９が共に掃除機本体６内部に内蔵されている。１０は電気掃除機１に電力を供給するためにコンセント１１などに接続される電源コードである。１２は、電動送風機９の動作、出力を使用者が操作するための操作スイッチを有する手元操作部である。このように構成された電気掃除機１は、コンセント１１に電源コード１０を差込み、手元操作部１２の操作スイッチで電動送風機９を駆動させると、電動送風機９によって発生された気流と共に床ブラシ２から吸引された塵埃をパイプ３、ハンドル部４、ホース５を通過させ、集塵室８に貯留し得るものである。
【００２６】
また、本発明の一実施形態である電気掃除機本体６の断面構成図を図２に示す。なお、同図において図１と同じ構成要素に対応するものには同一の符号を付して説明を省略する。図２に示すように、電気掃除機本体６は樹脂製の本体ケース１３によって形成されており、電気掃除機本体６の内部には、集塵室８、電動送風機９を収納するモータ室１４、制御基板１５などを配置する基板室１６、電気掃除機本体６の集塵室８とホース５の端部に有する接続部７を接続して連通するための接続口１７等を有している。
【００２７】
本実施形態においては集塵室８内部に集塵袋１８がホルダー１９によって着脱自在に装着され、集塵袋１８後方には、電動送風機９への塵埃の進入をより確実に防止するための補助集塵フィルター２０と、モータ室１４と集塵室１８を隔てながら気流を通過させることが可能な格子状の連通口を有する隔壁２１が設けられている。集塵室８と電動送風機９前部の間には支持壁２２が設けられており、この支持壁２２は電動送風機９前部及びその外周に装着された弾性支持体２３と気密に接触し、通風路２４が形成され、電動送風機の出力が効率よく清掃に用いられるよう構成されている。
【００２８】
基板室１６の後方には排気室２５が形成されており、この排気室２５の本体ケース１３外側後面には格子状に形成された排気口２６が形成されている。また、基板室１６と排気室２５の間には排気フィルター２７が装着されている。
【００２９】
このような構成により接続部７と接続口１７を接続し、電動送風機９を駆動すると、床ブラシ２から気流とともに吸引された塵埃が集塵袋１８に貯留される。気流は集塵袋１８を抜け、補助フィルター２０、隔壁２１を通過して通風路２４から電動送風機９に吸引される。電動送風機９前部から吸引された気流は電動送風機９後部から排出され、基板室１６、排気フィルター２７、排気室２５をそれぞれ通過し、排気口２６から本体外部に排出される構成となっている。
【００３０】
基板１５上に配置されている２８は電動送風機９の動作を制御する制御部であり、マイクロコンピュータなどの中央演算装置により構成することができる。本実施形態では、制御部２８にはマイクロコンピュータが用いられている。
【００３１】
また、モータ室１４上部に配置されている２９は、掃除機本体６内部の温度を検出し、その検出結果を制御部２８に出力する温度検出手段である正特性サーミスタであり、電気掃除機本体６内部の固有温度を検出するようになっている。なお、本実施形態では正特性サーミスタ２９をモータ室に配置し、モータ室内の温度を検出するように構成したが、正特性サーミスタ２９の配置場所としては、掃除機本体６に内蔵された電動送風機９に接触する部分あるいはその近傍の樹脂の温度や電動送風機９近傍の本体内部温度など、本体ケース１３を形成する樹脂がその許容限界温度以上とならないように、電動送風機９の温度変化を監視することのできる部位であればよく、正特性サーミスタ２９の配置場所は特に限定はない。また本実施形態では一つの正特性サーミスタ２９を電気掃除機本体6内部に備える構成としたが、一つでなく複数配置するものであってもよい。
【００３２】
さらに本実施形態において、集塵室８と電動送風機９の間に形成された通風路２４上部に配置された３０は電動送風機９が発生させる気流の圧力を検出するための気体圧力検出手段である圧力センサであり、その圧力検出結果は制御部２８に出力されるように構成されている。
【００３３】
３１は後に詳しく説明する正特性サーミスタ２９によって検出される掃除機本体６内部の温度が第一設定温度Ａ以上第二設定温度Ｂ未満となり、電動送風機９が一時停止された状態から一時停止を解除し、電動送風機９を再起動する一時停止解除手段としての再起動スイッチである。
【００３４】
図３に手元操作部１２の概要図を示す。本実施形態における手元操作部１２には、電動送風機９を駆動するスイッチである駆動スイッチ３２が設けられており、この駆動スイッチ３２は電動送風機９の出力の強・弱を切り替える出力切替スイッチを兼ねている。３３は電動送風機９の停止スイッチであり、このスイッチ３３によって電動送風機９の動作を停止させることができる。これら駆動スイッチ３２、停止スイッチ３３は、共に電動送風機の動作を操作するための操作スイッチである。
【００３５】
３４、３５は表示手段であり、本実施形態では電動送風機９が出力強で駆動中には表示手段３４内部に設けられた緑色ランプが点灯し、電動送風機９が出力弱で駆動中には表示手段３５内部に設けられた緑色ランプが点灯することで現在電動送風機９の駆動出力状態を表示するようになっている。本実施形態では手元操作部１２に表示手段３４、３５を有することによって使用者が自分の操作状況を操作しながら確認することができるようになっている。
【００３６】
このような図１に示した前述の手元操作部１２に備えられたスイッチ３２、３３も、ハンドル部４、ホース５に前記各スイッチ３２、３３の操作情報を電気掃除機本体６に伝達するための配線を有しており、その配線は接続部７に設けられた接続端子部(図示せず)と連結され、接続部７と接続口１７を接続することで、使用者が行う手元操作部１２での操作情報が、電気掃除機本体６内部の制御部２８に伝達されるように構成されている。
【００３７】
図４に本実施形態における電気掃除機の制御ブロック図を記載する。同図に示すように本実施形態の電気掃除機は手元操作部１２での操作情報や正特性サーミスタ２９、圧力センサ３０の検出結果出力、再起動スイッチ３１の入力が全て制御部２８に出力される。制御部２８は出力された情報に基づき表示手段３４、３５を動作させると共に、トライアックなどの電力制御素子３６に動作信号を出力し、電力制御素子３６はその動作信号に従って電動送風機９を電力制御しながら駆動させる。
【００３８】
本実施形態における制御部２８には、電気掃除機本体６を形成する樹脂の性質によって決定される許容限界温度より低い温度である第一設定温度Ａと、前記第一設定温度Ａより高く電機掃除機本体６の許容限界温度より低い温度である第二設定温度Ｂが設定されている。許容限界温度、第一設定温度Ａ、第二設定温度Ｂの温度の設定例としては、本体を形成する樹脂としてＡＢＳ樹脂を使用している場合では許容限界温度がおよそ１００℃であるから、第一設定温度Ａとしては８０℃、第二設定温度Ｂとしては９０℃として設定する。この設定情報に基づき本実施形態の制御部２８は正特性サーミスタ２９が出力してくる検出結果が第一設定温度Ａ以上第二設定温度Ｂ未満となると電動送風機９を一時停止させる。そして、本実施形態では一時停止中に使用者が再起動スイッチ３１によって電動送風機９を駆動するよう操作すると、その操作に従って電動送風機９を駆動する。なお、電動送風機９を再起動させた後も制御部２８は正特性サーミスタ２９の出力信号を監視しており、検出結果が第二設定温度Ｂ以上となったときには電動送風機９の動作を停止させる。このとき、再起動スイッチ３１や駆動スイッチ３２を操作しても電動送風機９は駆動されない。
【００３９】
また、制御部２８は正特性サーミスタ２９の検出温度が第二設定温度Ｂ以上となり、電動送風機９の動作を停止させた場合には、使用者が再起動スイッチ３１で電動送風機９を駆動するよう操作しても電動送風機９を駆動させない。
【００４０】
本実施形態の電気掃除機が行うこのような動作を図５に示すフローチャートを用いて詳しく説明する。電源から電力が供給され制御部２８の動作が開始すると、まず正特性サーミスタ２９の出力が第二設定温度Ｂ以上となっていないかを判定する(ステップ１)。ここでＢ以上となっていれば電動送風機を停止させ(ステップ２)、Ｂ以上となっていなければ第一設定温度Ａ以上となっていないかどうかが判定される(ステップ３)。ステップ３で第一設定温度Ａ以上であることが検出されなければ、再びステップ１、ステップ３のループに入り、第一設定温度Ａ、及び第二設定温度Ｂの監視が続けられる。このような温度監視中に使用者によって電気掃除機が使用され、電動送風機９の温度が上がって行き、ステップ３で第一設定温度Ａが検出された際に制御部２８は電動送風機９の動作を一時停止させ(ステップ４)、正特性サーミスタ２９から出力される検出温度が第二設定温度Ｂ以上となっているかどうかの判定が行われる(ステップ５)。ステップ５で第二設定温度Ｂ以上となっていれば、ステップ２に移行し、電動送風機９が停止され、第二設定温度Ｂに達していなければステップ６に移行する。
【００４１】
ステップ６では掃除機本体６に設けられた一時停止解除手段である再起動スイッチ３１が使用者によって押されたかどうかの一時停止解除手段の入力検出が行われる。再起動スイッチ３１が押されていなければステップ１まで戻り前記ステップが繰り返されることとなる。このため一時停止解除手段の入力が検出されないまま放置され、電動送風機９の温度が低下し、正特性サーミスタ２９から出力される検出温度が第一設定温度Ａ未満となれば再び電気掃除機が使用可能状態に戻る。またステップ６において一時停止解除手段の入力が検知されると、続くステップ７に移行する。
【００４２】
制御部２８はステップ７でタイマーを起動し、あらかじめ設定された一定時間Ｔの経過を測定しながらステップ８において電動送風機９を駆動させる。なお、ステップ８の電動送風機９駆動中においても手元操作部１２に設けられた駆動スイッチ３２による電動送風機９の出力切替及び停止スイッチ３３による電動送風機９の停止は通常と同様に使用者の操作によって操作可能となっている。
【００４３】
ステップ９において制御部２８はステップ７で起動されたタイマーの時間ｔが一定時間Ｔ以上経過したかどうかを判定する。経過していなければそのまま電動送風機９の駆動を続行し、経過していれば続くステップ１０に移行し、正特性サーミスタ２９から出力される検出温度が第二設定温度Ｂ以上でないかどうかが判定される。ここでＢ以上でなければ再びステップ７に戻り電動送風機９の駆動は続行されるが、もしＢ以上となっていた場合にはステップ２に移行し、直ちに電動送風機９が停止される。
【００４４】
このようなフローチャートに従って動作する本実施形態の電気掃除機１の動作を電動送風機の温度変化の例を挙げて、さらに詳しく説明する。図６は電動送風機の時間に対する温度変化例を示したものであり、横軸に時間、縦軸に温度を取っており、縦軸の最上部が本体ケースの許容限界温度となっている。
【００４５】
図６に示すように電気掃除機を使用中に徐々に電気掃除機本体内部の温度が上がって行き、アにおいて第一設定温度Ａに達すると、電動送風機９は一時停止される。そしてイにおいて一時停止解除手段が入力されたとする。なお、ア−イ間で電動送風機が停止しているにもかかわらず、温度が上昇しているのは電動送風機９が停止することによりモータ室１４内の空気の対流がなくなり、電動送風機９の放熱により室温が上昇したものである。
【００４６】
一時停止解除手段入力後には３通りのパターンが考えられており、ａでは一時停止した後の再起動後も電動送風機の温度が上昇し続け、ウにおいて第二設定温度Ｂに達し一定時間Ｔ経過後にはエに至り、この場合、電動送風機は停止される。
【００４７】
ｂでは一時停止後も電動送風機の温度はＡ以上Ｂ未満の範囲にあり、一定時間Ｔ経過後にはオとなっていた。この場合、電動送風機は一度一時停止されているため一時停止されることなく継続運転される。
【００４８】
ｃでは一時停止後に電動送風機の温度が降下し、一定時間Ｔ経過後にはカとなっており、このような場合では問題無く通常運転に戻ることが可能となる。なお、本実施形態では、電動送風機９の再起動後に本体内部温度が第一設定温度Ａ以下になり、再び第一設定温度Ａに達した場合はもう一度電動送風機が一時停止されるように構成されている。
【００４９】
このように、本実施形態では、制御部２８に、電気掃除機本体６の許容限界温度より低い温度の第二設定温度Ｂと、第二設定温度Ｂより低い温度の第一設定温度Ａが設定されており、正特性サーミスタ２９の温度検出出力が第一設定温度Ａ以上となると電動送風機の動作を一時停止させることにより、例えば清掃中に大きなごみや異物を吸い込んで吸い込み口が塞がれたりパイプ内などに詰まってしまい電動送風機９に負荷がかかって温度が上昇してしまった場合であっても、一度吸引が止められるため、簡単につまりなどを解消することが可能となる。
【００５０】
また、このように温度上昇の原因を取り除くことができた後、再び電動送風機を駆動させるには再起動スイッチ３１を押せばよく、制御部の制御状態を解除するために、わざわざ電源コードを一度抜きに行くなどの手間がかからずそのまま清掃作業を継続することが可能となる。
【００５１】
また、電動送風機の温度上昇の原因が集塵室８に塵埃がためられすぎているような場合であっても、一度電動送風機を一時停止した後に、温度が第二設定温度Ｂ以上とならなければ電気掃除機を継続使用することができるため、清掃の途中で集塵室８にためられた塵埃の処理をする必要がなく、清掃終了後にまとめて塵埃を処理すればすむため、清掃作業の途中で余分な作業を必要としなくなる。
【００５２】
さらに電動送風機の故障などが原因で温度上昇が起こっている場合には、第二設定温度Ｂ以上となったときに電動送風機の動作を停止させ、継続駆動させなくするため、確実に掃除機本体６を形成する本体ケース１３の許容限界温度を超えることが防止されるため、本体ケースの変形などを起こすことがない。
【００５３】
なお、本実施形態では一定時間Ｔ経過後に第二設定温度Ｂを超えたエにおいて電動送風機の動作を停止させたが、第二設定温度Ｂが検出された時点ウに於いて直ちに電動送風機を停止させるように構成してもよい。このような構成であれば、電動送風機の温度が本体ケース１３の許容限界温度を超えてしまうことをより確実に防止することができる。
【００５４】
また、本実施形態では一定時間Ｔ経過後に第一設定温度Ａ以上第二設定温度Ｂ未満であるオにおいて電動送風機の動作を連続駆動可能とさせたが、一定時間Ｔ経過後に第一設定温度Ａ以上第二設定温度Ｂ未満であるオに於いて、再び電動送風機９を一時停止させるように構成してもよい。このように構成するためには図５におけるフローチャートでステップ１０を省いてしまい、ステップ９において一定時間Ｔが経過したことを判定した後にステップ１に戻るようにすればよい。このような構成であれば、電動送風機９の温度上昇の原因が十分解消されていなかった場合や、再び吸い込み口が塞がれたりパイプ内などに大きなごみや異物などが詰まってしまい電動送風機９に負荷がかかって温度が上昇してしている場合などでも、これらを取り除きやすくすることができる。そして、再び再起動スイッチ３１によって電動送風機９を起動可能としておけば、そのまま清掃作業を継続することができる。またこのような構成はプログラムを簡略化できる利点がある。
【００５５】
なお、本実施形態ではタイマーを起動し、一定時間Ｔを計測しながら電動送風機９を駆動する構成としたが、このようにタイマーを使用せず、正特性サーミスタ２９からの検出温度出力で電気掃除機の動作を制御するように構成することも可能である。
【００５６】
また本実施形態では、制御部２８は正特性サーミスタ２９による検出信号が第一設定温度Ａ以上となっている場合には、前述した電動送風機９の一時停止中に図３に示した表示手段３５に赤色ランプを点滅させることによって、電気掃除機本体内部の温度が第一設定温度Ａを超えてしまったことを使用者に知らせるように構成されている。このような構成によって、使用中に突然電気掃除機が停止してしまった場合にも、電動送風機の温度が上昇したことによって電動送風機が一時停止してしまっていることを使用者に知らせる事ができるようになっている。
【００５７】
さらに本実施形態では、制御部２８は正特性サーミスタ２９による検出信号が第二設定温度Ｂ以上となっている場合には、前述した電動送風機９の停止中に図３に示した表示手段３４に赤色ランプを点滅させることによって、電気掃除機本体内部の温度が第二設定温度Ｂを超えてしまったことを使用者に知らせるように構成されている。このような構成によって、前記第一設定温度Ａ以上となってしまった場合と同様、使用中に突然電気掃除機が停止してしまった場合にも、電動送風機の温度が上昇したことによって電動送風機が停止してしまっていることを使用者に知らせる事ができるようになっている。
【００５８】
なお、本実施形態では第一設定温度Ａを超えてしまった場合は、表示手段３５に、第二設定温度Ｂを超えてしまった場合には表示手段３４に赤色ランプを点滅表示させる構成としたが、前記ランプの点滅パターンは正特性サーミスタ２９によって検出された検出結果が第一設定温度Ａ以上となっているときと第二設定温度Ｂ以上となっているときで異なるパターンであることが好適である。このように異なるパターンで点滅表示することにより、再起動スイッチを押せば継続使用することができるのか、あるいはしばらく使用することができないのかをよりわかりやすく明確に使用者に知らせる事ができるためである。
【００５９】
ここで、異なる点滅パターンとは、ランプの点灯、消灯を繰り返す周期の違いのみならず、前述のように、第一設定温度Ａを超えてしまった場合は、表示手段３５に、第二設定温度Ｂを超えてしまった場合には表示手段３４に表示するといった異なる表示場所で表示させること(表示場所の異なる点滅パターン)のほかに、異なる表示色のランプを使用して点灯、消灯を繰り返えさせること（表示色の異なる点滅パターン）、ランプを点灯させること（消灯時間０の点滅パターン）を含むものとする。
【００６０】
なお本実施形態では、第一設定温度Ａを超えてしまった場合、第二設定温度Ｂを超えてしまった場合それぞれで表示手段に表示する構成としたが、どちらか一方の温度を超えてしまった場合のみを表示手段で表示するようにしてもよい。
【００６１】
また本実施形態の電気掃除機１では、電動送風機９の温度上昇の原因となっている部位を自己診断し検出可能な構成を採っている。図２に示したように本実施形態では圧力センサ３０が通風路２４に備えられている。そして、図４に示すようにこの圧力センサ３０の検出出力は制御部２８に送られるようになっている。
【００６２】
例えば、電動送風機９自体が故障を起こして温度が上昇してしまっている場合には、電動送風機９が正常に動作しないため、清掃用の気流を十分に発生させることができない。このため、床ブラシ２、パイプ３、ハンドル部４、ホース５、集塵室８、通風路２４などの各部位の気体圧力は、電動送風機が十分動作しないため真空度が上がらず、圧力センサ３０で検出される気体圧力は大気圧に近いものとなる。これに対し、電動送風機９自体には問題がないにもかかわらず、床ブラシ２、パイプ３、ハンドル部４、ホース５、集塵室８などのいずれかの部位にごみや異物が詰まり、電動送風機９に負荷をかけることによってを温度が上昇してしまっている場合には、電動送風機９は正常に動作しているため、清掃用の気流は発生されているから、通風路２４に備えられた圧力センサ３０で検出される気体圧力は清掃に十分な真空度となっているはずである。
【００６３】
このため通風路２４に備えられた圧力センサ３０の検出出力から電動送風機の温度上昇の原因となっている部位の自己診断が可能となる。そして、本実施形態では、電動送風機９の故障が原因であるときには、前記表示手段３４、３５の両方に黄色のランプを点灯させ、ごみや異物のつまりが原因であるときには、前記表示手段３５のみに黄色のランプを点滅表示させることで、使用者に不具合が生じている部位が電動送風機９以外の部位であることを知らせることができる。これによって使用者は本体内部の温度上昇の原因を特定しやすくなるため、使い勝手が非常に向上する。
【００６４】
また本実施形態では、正特性サーミスタ２９の検出結果が第一設定温度Ａ以上となり電動送風機９の動作が一時停止した際、及び正特性サーミスタ２９の検出結果が第二設定温度Ｂ以上となり電動送風機９の動作が停止した際に、圧力センサ３０の検出結果をもとに電気掃除機１内部で不具合が生じている部位を判別し、前記判別結果を表示するように構成されている。なお、第一設定温度Ａ以上となった時と第二設定温度Ｂ以上となった時の何れかの場合に表示するようにしてもよいし、電動送風機使用中に常に圧力異常を監視して不具合が生じている部位を表示するように構成してもよい。
【００６５】
このように不具合が生じている部位を判別し、前記判別結果を表示する場合には図５に示したフローチャートに代わり、図７、図８に示したようなフローチャートのように動作する。なお、図７、図８に示すフローチャートは▲１▼、▲２▼、▲３▼、▲４▼でそれぞれ結ばれているものである。同図に示すように、ステップ３で第一設定温度Ａを検出し、ステップ４で電動送風機９を一時停止させる前、あるいは、ステップ８の電動送風機９を再起動後、ステップ１０で第二設定温度Ｂを検知して、電動送風機９を停止させるステップ２の前に、不具合が生じている部位を判別し、前記判別結果を表示するステップ３−１〜３−３及び１０−１〜１０−３が加えられている。
【００６６】
このような構成によって、使用中に突然電気掃除機が停止してしまった場合にも電動送風機９の温度を上昇させる原因となっているのが何であるかを使用者に知らせる事ができるようになるため、使用者が再び電気掃除機を使用するためにどのような解決手段が必要かが判断しやすくなり使い勝手が非常に向上する。
またこのような図７、図８に示すフローチャートにおいても、一定時間Ｔ経過後に第一設定温度Ａ以上第二設定温度Ｂ未満のときに、再び電動送風機９を一時停止させるように構成することもできる。このように構成するためには図８におけるフローチャートでステップ１０以降のステップを省いてしまい、ステップ９において一定時間Ｔが経過したことを判定した後にステップ１に戻るようにすればよい。
【００６７】
以上説明したように、本実施形態による電気掃除機によれば、電動送風機が内蔵された本体ケース内部の温度を規定の温度以下に抑えることで、本体ケースの変形等の発生を防止する事ができる掃除機を提供することができる。また、電動送風機の温度上昇の原因となっている部位を特定し、本体内部の温度上昇を解決可能とする電気掃除機を提供することができる。また、電動送風機の温度上昇があって電動送風機を停止させた場合でも、電動送風機の故障が原因ではない温度上昇であった場合には原因を解消後、簡単な操作でそのまま継続使用できる電気掃除機を提供することができる。
【００６８】
実施の形態２．
以下、本発明の一実施形態である実施の形態２について説明する。
図９に本実施形態の電気掃除機の全体構成概要図を示す。なお同図において前記実施の形態１と同じ構成要素に対応するものには同一の符号を付して説明を省略する。本実施形態は前記実施の形態１の電気掃除機とほぼ同じ構成を有している。実施の形態１との違いは一時停止解除手段である再起動スイッチが本体６に設けられておらず、手元操作部１２に備えられた操作スイッチである駆動スイッチ３２と兼ねられていることである。
【００６９】
このように再起動スイッチが、駆動スイッチ３２と兼ねられていることで、電動送風機の使用中に本体６内部の温度が上昇し、電動送風機９が一時停止された場合にも使用者は電気掃除機本体６まで再起動スイッチを押しに行く必要がなく、その場で駆動スイッチ３２によって電動送風機９を再起動し、清掃を再開することができ、使い勝手が向上させることができる。また使用者は駆動スイッチ３２を押すことが再起動スイッチを押すこととなるため、普段と異なる操作が必要とされず、いつも通りに使用している感覚で電気掃除機の操作を行うことができる。
【００７０】
なお、本実施形態では駆動スイッチ３２が再起動スイッチを兼ねている例を挙げたが、手元操作部１２に駆動スイッチ３２と再起動スイッチを別々に設けるような構成であってもよい。このような構成であっても、電動送風機の使用中に本体６内部の温度が上昇し、電動送風機９が一時停止された場合に、使用者は電気掃除機本体６まで再起動スイッチを押しに行く必要がなく、その場で再起動スイッチによって電動送風機９を再起動し、清掃を再開することができ、使い勝手が向上させることができる。
【００７１】
実施の形態３．
以下、本発明の一実施形態である実施の形態３について説明する。
なお、本実施の形態を説明するにあたり、図１から図８に示した前記実施の形態１と同じ構成要素に対応するものには同一の符号を付して説明を省略する。
【００７２】
図１０に本実施形態の電気掃除機の全体構成概要断面図を示す。本実施形態は前記実施の形態１の電気掃除機とほぼ同じ構成を有している。実施の形態１との違いを以下、順次説明していく。
【００７３】
実施の形態１と異なる点は、気体圧力検出手段である複数の圧力センサ３０ａ〜３０ｆが、床ブラシ２から電動送風機９にいたるまでの風路中、つまり床ブラシ２、パイプ３、ハンドル部４、ホース５、集塵室８、通風路２４の各部にそれぞれ設けられていることである。
【００７４】
電気掃除機１内部に複数の圧力センサが配置されていることによって、例えば、清掃中にホース５内部に大きなごみや異物が詰まってしまった場合などには少なくとも集塵室８内部、及び通風路２４にある圧力センサ３０ｅ、３０ｆで検出される圧力は清掃に十分な真空度を有しているはずであるが、ごみ詰まりを起こしたホース５より先では詰まりにより真空度が十分に上がっておらず大気圧あるいは大気圧に近い圧力となっていることが検出される。このため、ごみ詰まりを起こしている箇所がホース５である可能性が高いことを特定することが可能となる。
【００７５】
このように電気掃除機内部に気体圧力検出手段を複数配置しておくこと、さらには電気掃除機の清掃用気流の風路中の床ブラシ２、パイプ３、ハンドル部４、ホース５、集塵室８、通風路２４各部位に少なくとも１つの気体圧力検出手段を配置することによって不具合を生じている部位をより詳しく特定することができる。
【００７６】
図１１及び図１２に本実施形態の電気掃除機が行う動作のフローチャートを示す。なお、図１１、図１２に示すフローチャートは▲５▼、▲６▼、▲７▼、▲８▼でそれぞれ結ばれているものである。同図に示すように図７、図８に示した前記実施の形態１の動作フローチャートと異なる点は、ステップ３−４、及びステップ１０−４において図１０に示した３０ａ〜３０ｆのすべての圧力センサについて真空度が十分あるかが判別される点であり、一つでも真空度が十分であればモータが正常であると判断される。逆にすべての圧力センサで真空度が十分でないと判別されると、モータ異常であると判断される。
【００７７】
また、図７、図８に示した前記実施の形態１の動作フローチャートと異なる第二の点は、ステップ３−４と３−２の間に３−５が、ステップ１０−４と１０−２の間に１０−５が加えられたことであり、前述のように正常な真空度が検出されている部位を特定し、どこから真空度が十分でないかによって異常部位を特定するステップが設けられている。このようなステップを設けることより、より確実な異常部位特定の自己診断を行うことができるようになっている。
【００７８】
なお、このような図１１、図１２に示すフローチャートにおいても、一定時間Ｔ経過後に第一設定温度Ａ以上第二設定温度Ｂ未満のときに、再び電動送風機９を一時停止させるように構成することもできる。このように構成するためには図１２におけるフローチャートでステップ１０以降のステップを省いてしまい、ステップ９において一定時間Ｔが経過したことを判定した後にステップ１に戻るようにすればよい。
【００７９】
また図１０に示す本実施形態の掃除機本体６後部上面には、電動送風機１の全体概略図が表示された表示手段３７を有している。
図１３に、本実施形態における表示手段３７の正面図を記載する。同図に示すように本実施形態における表示手段３７には、液晶表示部３８を有しており、この液晶表示部３８には電動送風機１の全体概略図３９が表示されるように構成されている。そして気体圧力検出手段３０ａ〜３０ｆの検出結果をもとに電気掃除機内部で不具合が生じている部位を判別し、前記判別結果を、全体概略図を使用して表示することが可能となっている。ここに示した図では前記説明したようにホース５に異物が詰まってしまった場合を表示した表示例を示したものである。またもし、電動送風機異常が発生した場合にはモータ異常ランプ４０が点灯し、使用者に知らせるようになっている。表示部４１、４２は実施の形態１で説明した手元操作部１２に表示される駆動中の電動送風機の出力を表示する表示手段３４、３５と同様にランプの点灯によって駆動中の電動送風機の出力を表示するものである。
【００８０】
このように、表示手段である液晶表示部３８に電動送風機１の全体概略図３９が表示され、気体圧力検出手段である圧力センサ３０ａ〜３０ｆの検出結果をもとに電気掃除機内部で不具合が生じている部位を判別し、前記判別結果を、前記全体概略図を使用して表示する構成により、前記圧力センサ３０ａ〜３０ｆによるより詳細な異常部位の検出結果を使用者にわかりやすく知らせることが可能となり、使用者の使い勝手を向上させることが可能となる。さらに、本実施形態では液晶表示部３８を設けたことにより、異常部位を示すだけでなく使用者に問題を解決するための説明文などを付加することができ、使用者にさらにわかりやすい解説を行うことが可能となる。
【００８１】
なお、本実施形態に於いては液晶表示部３８を用いたが、電動送風機１の各部をシートなどの切り抜きを使用して全体概略図を作成し、裏面よりランプを点灯させて表示させるようなアナログ型の表示を行う構成であってもよい。また、本実施形態では電動送風機９の異常が発生した場合に点灯するモータ異常ランプ４０や、駆動中の電動送風機９の出力をランプの点灯によって表示する表示部４１、４２を設けたが、表示手段３７全体を液晶表示部で構成してもよく、表示手段の構成に特に限定はない。
【００８２】
なお本実施形態に於いては、異常部位の特定が行われるのは第一設定温度Ａ以上となり電動送風機９が一時停止されるとき、及び第二設定温度Ｂ以上となり電動送風機９が停止されるときであったが、電動送風機使用中に常にこのような圧力異常や電動送風機の動作異常が発生していないかを監視するように構成してもよい。このように構成すれば本体内部温度が上昇する前に異常を把握することが可能となる。
【００８３】
実施の形態４．
以下、本発明の一実施形態である実施の形態４について説明する。
なお、本実施の形態を説明するにあたり、図１から図８に示した前記実施の形態１と同じ構成要素に対応するものには同一の符号を付して説明を省略する。
【００８４】
図１４に本実施形態の電気掃除機の全体構成概要図を示す。本実施形態は前記実施の形態１の電気掃除機とほぼ同じ構成を有している。実施の形態１との違いは図１４に示すように一時停止解除手段である再起動スイッチが、本実施の形態では電気掃除機１に電力が供給されている状態で制御部２８の制御状態をリセットする制御部リセットスイッチ４３となっていることである。
【００８５】
そして、本実施の形態に於いては、制御部２８は電気掃除機１を図１５に示すようなフローチャートのように動作させる。また、図１５において図７、図８と同じステップに対応するものには同一のステップ番号を付して説明を省略する。
【００８６】
図１５に示すように本実施形態では、制御部２８は初期状態からまずステップ１で第二設定温度Ｂ以上となっていないかを検出する。そして第二設定温度Ｂ以上となっていればステップ２に移行し、電動送風機９を停止させたままにする。ステップ１で第二設定温度Ｂ以上であることが検出されなければ、ステップ３に移行し、第一設定温度Ａ以上となっていないかを検出する。ステップ３で第一設定温度Ａ以上であることが検出されなければ、ステップ３−６に移行する。電気掃除機が使用開始されたばかりであれば、電動送風機の温度は上がっていないからステップ３−６に移行することとなる。
【００８７】
ステップ３−６では第一設定温度Ａの監視が行われ続け、もし本体内部温度が第一設定温度Ａとなったことが検出されるとステップ３−１からステップ３−２、３−３のいずれかを経て、ステップ２に移行し電動送風機９の動作が停止されるようになっている。
【００８８】
電動送風機９の動作が停止されると、制御部リセットスイッチ４３を押すことにより、制御部２８がリセットされ、本体内部の検出温度が第二設定温度Ｂ以上となっていなければ再び使用可能状態とすることが可能になる。本実施形態では、制御部リセットスイッチ４３を押すことで、制御部２８がリセットされるから、制御部２８は初期状態に戻り、まずステップ１で第二設定温度Ｂ以上となっていないかの判定を行う。前述のように第一設定温度Ａが検出されて電動送風機９が停止された状態から電動送風機９を再起動するために制御部リセットスイッチ４３を押したのであれば、ステップ３において、第一設定温度Ａ以上であることが検出されるはずである。ステップ３で第一設定温度Ａ以上であることが検出されると、ステップ７でタイマーを起動し、一定時間Ｔを測定しながら、電動送風機９の運転が可能となる。
【００８９】
なお第一設定温度Ａが検出され、電動送風機９が一時停止した後に制御部リセットスイッチ４３が押されて電動送風機９が駆動している（ステップ８において）最中においても手元操作部１２に設けられた駆動スイッチによる電動送風機９の出力切替及び停止スイッチによる電動送風機９の停止は通常と同様に使用者の操作によって操作可能となっている。
【００９０】
ステップ１０では、正特性サーミスタ２９から出力される検出温度が第二設定温度Ｂを超えていないかどうかが判定される。ここでＢを超えていなければ再びステップ７に戻り電動送風機９の駆動は続行されるが、もしＢ以上となっていた場合には、ステップ１０−１からステップ１０−２、１０−３のいずれかを経て、ステップ２に移行し、直ちに電動送風機９が停止される。
【００９１】
そして、正特性サーミスタ２９から出力される検出温度が第二設定温度Ｂを超えてしまい、電動送風機９が停止されていれば、制御部リセットスイッチ４３を押してもステップ１で第二設定温度Ｂが検出されるため電動送風機９が駆動されることはないため第二設定温度Ｂを超えて電動送風機９が運転されることはない。
【００９２】
このように、本実施形態では実施の形態１で説明したのと同様の効果を得ることができる。すなわち、本実施形態では、制御部２８に、電気掃除機本体６の許容限界温度より低い温度である第一設定温度Ａと、第一設定温度Ａより高く許容限界温度より低い温度である第二設定温度Ｂが設定されており、正特性サーミスタ２９の温度検出出力が第一設定温度Ａを超えると電動送風機９の動作を一時停止させることにより、例えば清掃中に大きなごみや異物を吸い込んで吸い込み口が塞がれたりパイプ内などに詰まってしまい電動送風機９に負荷がかかって温度が上昇してしまった場合であっても、一度吸引が止められるため、簡単につまりなどを解消することが可能となる。
【００９３】
また、このように温度上昇の原因を取り除くことができた後、再び電動送風機９を駆動させるには制御部リセットスイッチ４３を押せばよく、わざわざ電源コードを一度抜きに行くなどの手間がかからずそのまま清掃作業を継続することが可能となる。
【００９４】
また、電動送風機９の温度上昇の原因が集塵室８に塵埃がためられすぎているような場合であっても、一度電動送風機９を一時停止した後に、温度が第二設定温度Ｂ以上とならなければ電気掃除機を継続使用することができるため、清掃の途中で集塵室８にためられた塵埃の処理をする必要がなく、清掃終了後にまとめて塵埃を処理すればすむため、清掃作業の途中で余分な作業を必要としなくなる。
【００９５】
さらに電動送風機９の故障などが原因で温度上昇が起こっている場合には、第二設定温度Ｂ以上となったときに電動送風機９の動作を停止させ、継続駆動させなくするため、確実に掃除機本体６を形成する本体ケースの許容限界温度を超えることが防止されるため、本体ケースの変形などを起こすことがない。
【００９６】
なお本実施形態においても一定時間Ｔ経過後に第二設定温度Ｂを超えたかどうかを判定し、超えていれば電動送風機９の動作を停止させたが、第二設定温度Ｂが検出された時点に於いて直ちに電動送風機９を停止させるように構成してもよい。このような構成であれば、電動送風機の温度が本体ケースの許容限界温度を超えてしまうことをより確実に防止することができる。
【００９７】
また、本実施形態では一定時間Ｔ経過後に第一設定温度Ａ以上第二設定温度Ｂ未満で電動送風機の動作を連続駆動可能とさせたが、一定時間Ｔ経過後に第一設定温度Ａ以上第二設定温度Ｂ未満であるならば、再び電動送風機９を一時停止させるように構成してもよい。このような構成であれば、電動送風機９の温度上昇の原因が十分解消されていなかった場合や、再び吸い込み口が塞がれたりパイプ内などに大きなごみや異物などが詰まってしまい電動送風機９に負荷がかかって温度が上昇してしている場合などでも、これらを取り除きやすくすることができる。このように構成するには、例えばステップ１０で第二設定温度Ｂを超えているかどうかを判定する部分を、第一設定温度Ａを超えているかどうかの検出判定を行うステップに変更すればよい。このような構成であっても、再び制御部リセットスイッチ４３を押すことによって電動送風機９を起動することができるため、そのまま清掃作業を継続することができる。
【００９８】
なお本実施形態では、本体内の温度が第一設定温度Ａ以上又は第二設定温度Ｂ以上となって電動送風機９が停止した場合だけでなく、制御部２８が誤作動を起こした場合や、エラーにより電動送風機９を停止させてしまった場合などであっても、制御部リセットスイッチ４３を押すことによって通常の使用状態に戻すことが可能であるという効果も有している。そして、リセット後に初期状態に戻るように構成されているため、制御部２８が行うアルゴリズムの構成が比較的簡易にできるという効果も有している。
【００９９】
実施の形態５．
以下、本発明の一実施形態である実施の形態５について説明する。
図１６に本実施形態の電気掃除機の全体構成概要図を示す。なお同図において前記実施の形態４と同じ構成要素に対応するものには同一の符号を付して説明を省略する。本実施形態は前記実施の形態４の電気掃除機とほぼ同じ構成を有している。実施の形態４との違いは一時停止解除手段である制御部リセットスイッチが本体６に設けられておらず、電動送風機９の動作を操作するための操作スイッチを有する手元操作部１２に備えられた駆動スイッチ４４と兼ねられていることである。
【０１００】
このように制御部リセットスイッチが、駆動スイッチ４４と兼ねられていることで、電動送風機の使用中に本体６内部の温度が上昇し、電動送風機９が一時停止された場合や、制御部が誤作動やエラーを起こし、電動送風機９を停止させてしまったり駆動できなくしてしまった場合にも使用者は電気掃除機本体６まで制御部リセットスイッチを押しに行く必要がなく、その場で駆動スイッチ４４によって制御部２８をリセットし、清掃を再開することができ、使い勝手が向上させることができる。
【０１０１】
また使用者は駆動スイッチ４４を押すことが制御部リセットスイッチを押すこととなるため、普段と異なる操作が必要とされず、いつも通りに使用している感覚で電気掃除機の操作を行うことができる。
【０１０２】
なお、本実施形態では駆動スイッチ４４が制御部リセットスイッチを兼ねている例を挙げて説明したが、手元操作部１２に駆動スイッチ４４と制御部リセットスイッチを別々に設けるような構成であってもよい。このような構成であっても、電動送風機の使用中に本体６内部の温度が上昇し、電動送風機９が一時停止された場合や、制御部が誤作動やエラーを起こし、電動送風機９を停止させてしまったり駆動できなくしてしまった場合にも使用者は電気掃除機本体６まで制御部リセットスイッチを押しに行く必要がなく、その場で制御部リセットスイッチ４４によって制御部２８をリセットし、清掃を再開することができ、使い勝手を向上させることができる。
【０１０３】
実施の形態６．
以上のように実施の形態１〜５では本発明を説明するためにキャニスタータイプの電気掃除機を例に挙げて説明したが本発明はこのキャニスタータイプにのみ適用し得るものでなく、アプライトタイプ、ハンディタイプ、サイクロン方式の電気掃除機、充電式の電気掃除機などさまざまなタイプの電気掃除機に適用可能なものである。
【０１０４】
【発明の効果】
以上説明したように、本発明の電気掃除機によれば、電動送風機の異常運転を防止つつ、継続して使用することができる。
【図面の簡単な説明】
【図１】  本発明の実施の形態１における電気掃除機の全体構成概要図である。
【図２】  本発明の実施の形態１における電気掃除機本体の断面構造図である。
【図３】  本発明の実施の形態１における電気掃除機の操作部の概要図である。
【図４】  本発明の実施の形態１における電気掃除機の制御ブロック図である。
【図５】  本発明の実施の形態１の電気掃除機が行う動作のフローチャートである。
【図６】  本発明の実施の形態１における電動送風機の時間に対する温度変化例を示したグラフである。
【図７】  本発明の実施の形態１の電気掃除機が異常部位を特定する場合の動作のフローチャートである。
【図８】  本発明の実施の形態１の電気掃除機が異常部位を特定する場合の動作のフローチャートである。
【図９】  本発明の実施の形態２における電気掃除機の全体構成概要図である。
【図１０】  本発明の実施の形態３における電気掃除機の全体構成概要断面図である。
【図１１】  本発明の実施の形態３の電気掃除機が行う動作のフローチャートである。
【図１２】  本発明の実施の形態３の電気掃除機が行う動作のフローチャートである。
【図１３】  本発明の実施の形態３における表示手段３７の正面図である。
【図１４】  本発明の実施の形態４における電気掃除機の全体構成概要図である。
【図１５】  本発明の実施の形態４の電気掃除機が行う動作のフローチャートである。
【図１６】  本発明の実施の形態５における電気掃除機の全体構成概要図である。
【符号の説明】
１  電気掃除機、２  床ブラシ（清掃面摺動部）、６  掃除機本体、８  集塵室（塵埃貯留部）、９  電動送風機、１２  手元操作部、２８  制御部、２９  正特性サーミスタ（温度検出手段）、３０  圧力センサ（気体圧力検出手段）、３１  再起動スイッチ、３４  表示手段、３５  表示手段、４３  制御部リセットスイッチ。
【図１】
0003882897.tif 000002
【図２】
0003882897.tif 000003
【図３】
0003882897.tif 000004
【図４】
0003882897.tif 000005
【図５】
0003882897.tif 000006
【図６】
0003882897.tif 000007
【図７】
0003882897.tif 000008
【図８】
0003882897.tif 000009
【図９】
0003882897.tif 000010
【図１０】
0003882897.tif 000011
【図１１】
0003882897.tif 000012
【図１２】
0003882897.tif 000013
【図１３】
0003882897.tif 000014
【図１４】
0003882897.tif 000015
【図１５】
0003882897.tif 000016
【図１６】
0003882897.tif 000017